(57)【要約】【課題】  本考案は、血管の逃げを防止して針穿刺を容易にする簡便な補助具を提供することを目的とする。【解決手段】  ２つの棒状部材と、該２つの棒状部材を対抗配置させて固定した固定部材とを備えた針穿刺補助具であって、前記２つの棒状部材は中心軸方向に沿った平坦面を同一平面上に有し、前記２つの棒状部材の対抗面は平行であり、且つ前記対抗面の間隔は、前記２つの平坦面が針穿刺すべき血管を挟んでそれぞれ異なる側の該血管に近接する皮膚表面上の領域に血管走行方向に沿って当接することが可能な間隔である針穿刺補助具。【選択図】  図１
0003112638.tif 000002
【実用新案登録請求の範囲】
【請求項１】
２つの棒状部材と、該２つの棒状部材を対抗配置させて固定した固定部材とを備えた針穿刺補助具であって、
前記２つの棒状部材は中心軸方向に沿った平坦面を同一平面上に有し、
前記２つの棒状部材の対抗面は平行であり、且つ
前記対抗面の間隔は前記２つの平坦面が針穿刺すべき血管を挟んでそれぞれ異なる側の該血管に近接する皮膚表面上の領域に血管走行方向に沿って当接することが可能な間隔である針穿刺補助具。
【請求項２】
各棒状部材の少なくとも一方の端部先端が、前記各棒状部材の中心軸と垂直な面に対して一致し、且つ
前記固定部材が各棒状部材に、前記端部先端を含む端部以外の部位において連結されている請求項１に記載の針穿刺補助具。
【請求項３】
前記２つの棒状部材が、中心軸と垂直な横断面の形状が略四角形である棒状部材からなる請求項１又は２に記載の針穿刺補助具。
【請求項４】
前記２つの棒状部材が、中心軸と垂直な横断面の形状が帯状である平棒状部材からなる請求項１又は２に記載の針穿刺補助具。
【請求項５】
前記２つの棒状部材が透明な材料で形成されている請求項１〜４の何れか１項に記載の針穿刺補助具。
【請求項６】
針穿刺を行う者の指を保護するための保護カバーが付設された請求項１〜５の何れか１項に記載の針穿刺補助具。
【請求項７】
前記保護カバーが前記保護カバーへの指の挿入方向と針の挿入方向とが鋭角を成すように付設された請求項６に記載の針穿刺補助具。
【考案の詳細な説明】
【技術分野】
【０００１】
本考案は血管への針穿刺を容易にする補助具に関する。
【背景技術】
【０００２】
医療行為を行ううえで採血、注射、点滴等における血管への針穿刺は極めて頻繁に行われる。針穿刺の際に図５ａのように針の穿刺方向が血管の走行方向と一致していることが必要であるが、図５ｂ及び図５ｃのように血管が皮下で逃げてしまうことは特に高齢者においてよく経験する。図５ｂのように縦方向に血管が逃げる場合は図５ｂの下方向に向けて皮膚を引っ張ることにより対策することが可能であるが、図５ｃのように横に逃げる場合には皮膚を図５ｃの左右両方向から引っ張ることが必要である。しかし両側から引っ張ると血管がつぶれてしまい、穿刺することが難しくなる。
【考案の開示】
【考案が解決しようとする課題】
【０００３】
本考案は、血管の逃げを防止して針穿刺を容易にする簡便な補助具を提供することを目的とする。
【課題を解決するための手段】
【０００４】
本考案は以下の考案を包含する。
（１）２つの棒状部材と、該２つの棒状部材を対抗配置させて固定した固定部材とを備えた針穿刺補助具であって、
前記２つの棒状部材は中心軸方向に沿った平坦面を同一平面上に有し、
前記２つの棒状部材の対抗面は平行であり、且つ
前記対抗面の間隔は前記２つの平坦面が針穿刺すべき血管を挟んでそれぞれ異なる側の該血管に近接する皮膚表面上の領域に血管走行方向に沿って当接することが可能な間隔である針穿刺補助具。
【０００５】
（２）各棒状部材の少なくとも一方の端部先端が、前記各棒状部材の中心軸と垂直な面に対して一致し、且つ
前記固定部材が各棒状部材に、前記端部先端を含む端部以外の部位において連結されている（１）に記載の針穿刺補助具。
（３）前記２つの棒状部材が、中心軸と垂直な横断面の形状が略四角形である棒状部材からなる（１）又は（２）に記載の針穿刺補助具。
【０００６】
（４）前記２つの棒状部材が、中心軸と垂直な横断面の形状が帯状である平棒状部材からなる（１）又は（２）に記載の針穿刺補助具。
（５）前記２つの棒状部材が透明な材料で形成されている（１）〜（４）の何れかに記載の針穿刺補助具。
【０００７】
（６）針穿刺を行う者の指を保護するための保護カバーが付設された（１）〜（５）の何れかに記載の針穿刺補助具。
（７）前記保護カバーが前記保護カバーへの指の挿入方向と針の挿入方向とが鋭角を成すように付設された（６）に記載の針穿刺補助具。
【考案の効果】
【０００８】
本考案により血管への針穿刺の際に血管の逃げ、特に横方向への逃げが防止される。その結果、血管への針穿刺が容易になる。
【考案を実施するための最良の形態】
【０００９】
本考案に係る針穿刺補助具（１０）は図１に記載の通り、２つの棒状部材（１２）と、該２つの棒状部材（１２）を対抗配置させて固定した固定部材（１４）とを備え、前記２つの棒状部材はそれぞれ、中心軸方向に沿った平坦面（１１）を同一平面上に有している。２つの棒状部材（１２）の対抗面（１３）は平行であり、前記対抗面（１３）の間隔は、前記２つの平坦面（１１）が針穿刺すべき血管を挟んでそれぞれ異なる側の該血管に近接する皮膚表面上の領域に血管走行方向に沿って当接することが可能な間隔である。
【００１０】
図１では２つの棒状部材（１２）は、中心軸と垂直な横断面の形状が略四角形である棒状部材であるが、例えば横断面が三角形、五角形、六角形等の多角形、円形、楕円形など種々の形状の棒状部材であってもよい。また多角形は角がやや欠けたもの、丸みを帯びたものであってもよい（本明細書における「略四角形」にはこのようなものが含まれる）。なお２つの棒状部材は必ずしも同一形状である必要はない。
【００１１】
また棒状部材は、中心軸と垂直な横断面の形状が帯状である平棒状部材からなっていてもよい。この場合、皮膚に当接する平坦面は平棒状部材の長手方向に沿った幅広側面からなる。「帯状」とは例えば細長い四角形の形状などを指し、前記横断面の端縁部が丸みを帯びた形状であっても良い。
【００１２】
図１では、２つの棒状部材（１２）の図１右下側の端部先端（１５）が、各棒状部材の中心軸と垂直な面に対して一致している。また、固定部材が各棒状部材に、端部先端（１５）を含む端部以外の部位において接続されている。かかる構造により、針の穿刺がより容易になる。
【００１３】
図１では固定部材（１４）は２つ存在しているが、２つの棒状部材（１２）を所定の位置関係に固定できるものである限り固定部材は単数であっても３つ以上の複数であってもよい。
【００１４】
図１では固定部材（１４）は２つの棒状部材（１２）の上面の一部分の間を連結しているが、棒状部材の他の面、例えば対抗面（１３）、に連結して形成されてもよい。
【００１５】
本考案に係る針穿刺補助具を構成する材料に特に制限はなく、剛性又は弾性の樹脂系材料、ガラス、木材、金属など種々の素材を使用することができるが、耐食性や生体に対しての安全性が十分に確認されている素材であればなお好ましい。
【００１６】
また前記棒状部材が透明な材料で形成されていれば針穿刺を行う者が皮膚の変化を目視することができるため好ましい。
【００１７】
図２は、図１の針穿刺補助具（１０）の実際の使用態様を例示する図である。針穿刺補助具（１０）の平坦面（１１）（皮膚当接面）を注射針等の針穿刺を受ける人の腕（２０）に２つの平坦面が針穿刺すべき血管（２１）を挟んでそれぞれ異なる側の該血管に近接する皮膚表面上の領域に血管走行方向に沿って当接するように押し当てる。医師等の針穿刺を行う者は自身の指（２２）を使って針穿刺補助具（１０）をその上面方向から針穿刺を受ける人の腕（２０）に押し当てる。注射針等の針は図２の下方向から２つの棒状部材の間を通って血管に穿刺される。皮下の血管の横方向への動きは２つの棒状部材により抑制されるため、針穿刺を容易に行うことができる。
【００１８】
図３は、針穿刺を行う者の指を保護するための保護カバー（３１）が固定部材（１４）に隣接して付設された本考案に係る針穿刺補助具（３０）を示す。医師等の針穿刺を行う者がその指を該保護カバー（３１）内に挿入して針穿刺補助具（３０）を使用すれば、誤って自身の指に針を刺すという事故を防ぐことができる。
【００１９】
図４は、指の挿入方向と針の挿入方向とが鋭角を成すように保護カバー（４１）が付設された本考案に係る針穿刺補助具（４０）を示す。針穿刺を行う者の指は図４の左下やや下寄りの方向から保護カバー（４１）内に挿入される。一方穿刺される針は図４の右下方向から挿入される。針穿刺を行う者は、例えば左手の人差し指を図４右側の保護カバーに、左手の中指を図４左側の保護カバーに挿入した場合、左手親指を穿刺対象者の皮膚上、図４右下付近の領域に置くことができ、左手の人差し指と左手の中指とで針穿刺補助具（４０）を皮膚に押し当てると同時に、左手親指を使って皮膚を針侵入方向と反対の方向（図４の右下方向）に引張ることができるため、針穿刺がより容易になる。
【図面の簡単な説明】
【００２０】
【図１】本考案に係る針穿刺補助具の斜視図である。
【図２】本考案に係る針穿刺補助具の実際の使用例を示す図である。
【図３】本考案に係る針穿刺補助具の斜視図である。
【図４】本考案に係る針穿刺補助具の斜視図である。
【図５】従来の針穿刺の問題点を示す図である。
【符号の説明】
【００２１】
１０、３０、４０・・・針穿刺補助具
１１・・・平坦面（皮膚当接面）
１２・・・棒状部材
１３・・・対抗面
１４・・・固定部材
１５・・・端部先端
２０・・・針穿刺を受ける者の腕
２１・・・血管
２２・・・針穿刺を行う者の指
３１、４１・・・保護カバー
【図１】
0003112638.tif 000003
【図２】
0003112638.tif 000004
【図３】
0003112638.tif 000005
【図４】
0003112638.tif 000006
【図５】
0003112638.tif 000007